(57)【特許請求の範囲】
【請求項１】
フッ酸と有機酸とを含有する半導体ウェーハ洗浄液中に半導体ウェーハを浸漬し、該半導体ウェーハを洗浄するウェーハ洗浄工程と、
前記半導体ウェーハ洗浄液の赤外吸収スペクトルを測定し、該赤外吸収スペクトルから半導体ウェーハ洗浄液中に含まれるフッ酸の濃度を求めるフッ酸濃度測定工程と、
前記半導体ウェーハ洗浄液の紫外吸収スペクトルを測定し、該紫外吸収スペクトルから半導体ウェーハ洗浄液中に含まれる有機酸の濃度を求める有機酸濃度測定工程と、
前記フッ酸濃度測定工程および前記有機酸濃度測定工程で測定したフッ酸濃度および有機酸濃度に基づき、前記半導体ウェーハ洗浄液中に純水、フッ酸および有機酸の何れか１種以上を添加して半導体ウェーハ洗浄液のフッ酸濃度および有機酸濃度を所定の範囲内に制御する濃度制御工程と、
を含み、
前記フッ酸濃度測定工程を経た半導体ウェーハ洗浄液に対して前記有機酸濃度測定工程を行うことを特徴とする、半導体ウェーハの洗浄方法。
【請求項２】
前記フッ酸濃度測定工程において、前記赤外吸収スペクトルを１〜３μｍの波長範囲内で測定し、
前記有機酸濃度測定工程において、前記紫外吸収スペクトルを２００〜４００ｎｍの波長範囲内で測定することを特徴とする、請求項１に記載の半導体ウェーハの洗浄方法。
【請求項３】
前記濃度制御工程で、前記フッ酸濃度を０．０１〜０．１質量％の範囲内に制御し、前記有機酸濃度を０．００５〜０．１質量％の範囲内に制御することを特徴とする、請求項１または２に記載の半導体ウェーハの洗浄方法。
【請求項４】
前記有機酸が、シュウ酸、クエン酸およびそれらの塩の何れか１種以上であることを特徴とする、請求項１〜３の何れかに記載の半導体ウェーハの洗浄方法。
【請求項５】
フッ酸と有機酸とを含有する半導体ウェーハ洗浄液の濃度測定方法であって、
前記半導体ウェーハ洗浄液の赤外吸収スペクトルを測定し、該赤外吸収スペクトルから半導体ウェーハ洗浄液中に含まれるフッ酸の濃度を求めるフッ酸濃度測定工程と、
前記半導体ウェーハ洗浄液の紫外吸収スペクトルを測定し、該紫外吸収スペクトルから半導体ウェーハ洗浄液中に含まれる有機酸の濃度を求める有機酸濃度測定工程と、
を含み、
前記フッ酸濃度測定工程を経た半導体ウェーハ洗浄液に対して前記有機酸濃度測定工程を行うことを特徴とする、半導体ウェーハ洗浄液の濃度測定方法。
【請求項６】
前記フッ酸濃度測定工程において、前記赤外吸収スペクトルを１〜３μｍの波長範囲内で測定し、
前記有機酸濃度測定工程において、前記紫外吸収スペクトルを２００〜４００ｎｍの波長範囲内で測定することを特徴とする、請求項５に記載の半導体ウェーハ洗浄液の濃度測定方法。
【発明の詳細な説明】
【技術分野】
【０００１】
本発明は、半導体ウェーハの洗浄方法および半導体ウェーハ洗浄液の濃度測定方法に関するものである。
【背景技術】
【０００２】
従来、シリコンウェーハ等の半導体ウェーハを洗浄する方法として、過酸化水素と水酸化アンモニウムとの混合液（所謂ＳＣ−１溶液）を用いて半導体ウェーハを酸化還元する酸化還元工程と、酸化液を用いて半導体ウェーハを酸化する酸化工程と、有機酸若しくは有機酸塩とフッ酸（フッ化水素）との混合液を用いて半導体ウェーハを還元する還元工程とを含む半導体ウェーハの洗浄方法が知られている（例えば、特許文献１参照）。
【０００３】
そして、上記特許文献１に記載の洗浄方法では、まず、酸化還元工程において、水酸化アンモニウムのエッチング作用により微粒子および有機物がウェーハ表面から除去されると共に、ウェーハ表面の微小ダメージが除去される。次に、酸化工程において、ウェーハ表面に形成される酸化膜中に金属不純物および微粒子が取り込まれる。更に、還元工程において、金属不純物および微粒子が取り込まれた酸化膜をフッ酸が溶解することで、ウェーハ表面から金属不純物および微粒子が離脱させられる。また、有機酸若しくは有機酸塩由来の有機酸イオンが、ウェーハ表面から離脱した金属不純物と負電荷を帯びた錯イオンを形成すると共にウェーハ表面に吸着することで、錯塩とウェーハ表面に吸着した有機酸イオンとの電気的反発により金属不純物のウェーハ表面への再付着が防止される。
よって、特許文献１に記載の洗浄方法によれば、半導体ウェーハの表面に付着している有機物、金属不純物および微粒子を少ない工程数で良好に除去することができる。
【０００４】
ここで、一般に、半導体ウェーハ洗浄液を貯留したウェーハ洗浄槽中で複数枚の半導体ウェーハを連続的に洗浄する際には、効果的且つ安定的に洗浄を行う観点から、ウェーハの洗浄に使用する半導体ウェーハ洗浄液の濃度を測定し、半導体ウェーハ洗浄液濃度を所定の範囲内に維持しつつ洗浄が実施される。
【０００５】
そして、特に、特許文献１に記載の洗浄方法の還元工程では、フッ酸の濃度を所定の範囲内に維持して酸化膜を効率的に溶解させつつ、有機酸または有機酸塩（以下、有機酸と有機酸塩とを併せて単に「有機酸」という。）の濃度を所定の範囲内に維持してウェーハ表面への金属イオンの再付着を確実に防止する必要がある。
【０００６】
しかし、従来、有機酸のみを含有する有機酸水溶液中の有機酸濃度を近赤外分光分析計の吸光度スペクトルから測定する方法や（例えば、特許文献２参照）、エチレングリコール等の水溶性の有機性溶液を５０質量％超含む有機溶液中のフッ酸濃度を１８００〜２６００ｎｍの波長範囲での近赤外吸収スペクトルから測定する方法（例えば、特許文献３参照）は知られているものの、フッ酸と有機酸との混合液中のフッ酸濃度および有機酸濃度の双方をそれぞれ別々に測定する方法は確立されていなかった。
【先行技術文献】
【特許文献】
【０００７】
【特許文献１】特開２０００−１３８１９８号公報
【特許文献２】特開２００４−１８６３８９号公報
【特許文献３】特開２００１−６６２５１号公報
【発明の概要】
【発明が解決しようとする課題】
【０００８】
従って、近赤外吸収スペクトルを用いた既知の濃度測定方法では、フッ酸と有機酸との混合液からなる半導体ウェーハ洗浄液中のフッ酸濃度および有機酸濃度の双方を分離測定して制御することができない。このため、上記従来の半導体ウェーハの洗浄方法では、濃度既知のフッ酸溶液と濃度既知の有機酸溶液とを混合して所定のフッ酸濃度および有機酸濃度とした混合液を半導体ウェーハ洗浄液として用いて半導体ウェーハの洗浄を行っていた。そのため、上記洗浄方法では、複数枚の半導体ウェーハを連続して洗浄すると、半導体ウェーハ洗浄液中のフッ酸濃度および有機酸濃度が変動（低下）して、半導体ウェーハに対し十分な洗浄効果を発揮し得なくなる、即ち、半導体ウェーハ表面等から微粒子や金属不純物を十分に除去できなくなることがあった。
【０００９】
そこで、本発明は、フッ酸と有機酸との双方を含む半導体ウェーハ洗浄液中のフッ酸濃度および有機酸濃度を測定する方法およびその濃度測定方法を用いた半導体ウェーハの洗浄方法を提供して、フッ酸と有機酸との混合液を用いて複数枚のウェーハに対し洗浄処理を行った場合におけるウェーハ表面等への微粒子や金属不純物の残留を安定して抑制することを目的とする。
【課題を解決するための手段】
【００１０】
本発明者らは、フッ酸と有機酸とを含有する半導体ウェーハ洗浄液中のフッ酸濃度および有機酸濃度の双方を正確に測定することを目的として、鋭意研究を行った。そして、半導体ウェーハ洗浄液ではフッ酸濃度および有機酸濃度が比較的低いので、赤外領域の吸収スペクトルを用いてフッ酸濃度を測定し、紫外領域の吸収スペクトルを用いて有機酸濃度を測定することにより、半導体ウェーハ洗浄液中のフッ酸濃度および有機酸濃度の双方を正確に測定できることを見出し、本発明を完成させた
【００１１】
即ち、この発明は、上記課題を有利に解決することを目的とするものであり、本発明の半導体ウェーハの洗浄方法は、フッ酸と有機酸とを含有する半導体ウェーハ洗浄液中に半導体ウェーハを浸漬し、該半導体ウェーハを洗浄するウェーハ洗浄工程と、前記半導体ウェーハ洗浄液の赤外吸収スペクトルを測定し、該赤外吸収スペクトルから半導体ウェーハ洗浄液中に含まれるフッ酸の濃度を求めるフッ酸濃度測定工程と、前記半導体ウェーハ洗浄液の紫外吸収スペクトルを測定し、該紫外吸収スペクトルから半導体ウェーハ洗浄液中に含まれる有機酸の濃度を求める有機酸濃度測定工程と、前記フッ酸濃度測定工程および前記有機酸濃度測定工程で測定したフッ酸濃度および有機酸濃度に基づき、前記半導体ウェーハ洗浄液中に純水、フッ酸および有機酸の何れか１種以上を添加して半導体ウェーハ洗浄液のフッ酸濃度および有機酸濃度を所定の範囲内に制御する濃度制御工程とを含み、前記フッ酸濃度測定工程を経た半導体ウェーハ洗浄液に対して前記有機酸濃度測定工程を行うことを特徴とする。このように、フッ酸濃度測定工程で赤外吸収スペクトルからフッ酸濃度を測定し、有機酸濃度測定工程で紫外吸収スペクトルから有機酸濃度を測定すれば、フッ酸濃度と有機酸濃度との双方を別々かつ正確に測定することができる。また、フッ酸濃度測定工程を先に行えば、有機酸濃度測定工程において紫外吸収スペクトルを測定する際に半導体ウェーハ洗浄液中の有機酸が多少分解したとしても、有機酸の分解に起因する測定誤差の発生を抑制することができる。そして、濃度制御工程で、測定したフッ酸濃度および有機酸濃度に基づいて半導体ウェーハ洗浄液のフッ酸濃度および有機酸濃度を制御すれば、適当な濃度の半導体ウェーハ洗浄液を用いて複数枚のウェーハを洗浄処理し、ウェーハ表面等への微粒子や金属不純物の残留を安定して抑制することができる。
【００１２】
ここで、本発明の半導体ウェーハの洗浄方法は、前記フッ酸濃度測定工程において、前記赤外吸収スペクトルを１〜３μｍの波長範囲内で測定し、前記有機酸濃度測定工程において、前記紫外吸収スペクトルを２００〜４００ｎｍの波長範囲内で測定することが好ましい。１〜３μｍの波長範囲内で測定した赤外吸収スペクトルを用いればフッ酸濃度を更に正確に測定することができ、また、２００〜４００ｎｍの波長範囲内で測定した紫外吸収スペクトルを用いれば有機酸濃度を更に正確に測定することができるからである。
【００１３】
また、本発明の半導体ウェーハの洗浄方法は、前記濃度制御工程で、前記フッ酸濃度を０．０１〜０．１質量％の範囲内に制御し、前記有機酸濃度を０．００５〜０．１質量％の範囲内に制御することが好ましい。フッ酸濃度を０．０１〜０．１質量％の範囲内に制御し、且つ、有機酸濃度を０．００５〜０．１質量％の範囲内に制御すれば、半導体ウェーハ表面等から微粒子や金属不純物を十分に除去することができるからである。
【００１４】
更に、本発明の半導体ウェーハの洗浄方法は、前記有機酸が、シュウ酸、クエン酸およびそれらの塩の何れか１種以上であることが好ましい。シュウ酸、クエン酸およびそれらの塩は、半導体ウェーハ洗浄液に用いる有機酸として特に適しているからである。
【００１５】
また、この発明は、上記課題を有利に解決することを目的とするものであり、本発明の半導体ウェーハ洗浄液の濃度測定方法は、フッ酸と有機酸とを含有する半導体ウェーハ洗浄液の濃度測定方法であって、前記半導体ウェーハ洗浄液の赤外吸収スペクトルを測定し、該赤外吸収スペクトルから半導体ウェーハ洗浄液中に含まれるフッ酸の濃度を求めるフッ酸濃度測定工程と、前記半導体ウェーハ洗浄液の紫外吸収スペクトルを測定し、該紫外吸収スペクトルから半導体ウェーハ洗浄液中に含まれる有機酸の濃度を求める有機酸濃度測定工程とを含み、前記フッ酸濃度測定工程を経た半導体ウェーハ洗浄液に対して前記有機酸濃度測定工程を行うことを特徴とする。このように、フッ酸濃度測定工程で赤外吸収スペクトルからフッ酸濃度を測定し、有機酸濃度測定工程で紫外吸収スペクトルから有機酸濃度を測定すれば、フッ酸濃度と有機酸濃度との双方を別々かつ正確に測定することができる。また、フッ酸濃度測定工程を先に行えば、有機酸濃度測定工程において紫外吸収スペクトルを測定する際に半導体ウェーハ洗浄液中の有機酸が多少分解したとしても、有機酸の分解に起因する測定誤差の発生を抑制することができる。
【００１６】
ここで、本発明の半導体ウェーハ洗浄液の濃度測定方法は、前記フッ酸濃度測定工程において、前記赤外吸収スペクトルを１〜３μｍの波長範囲内で測定し、前記有機酸濃度測定工程において、前記紫外吸収スペクトルを２００〜４００ｎｍの波長範囲内で測定することが好ましい。１〜３μｍの波長範囲内で測定した赤外吸収スペクトルを用いればフッ酸濃度を更に正確に測定することができ、また、２００〜４００ｎｍの波長範囲内で測定した紫外吸収スペクトルを用いれば有機酸濃度を更に正確に測定することができるからである。
【発明の効果】
【００１８】
本発明の半導体ウェーハ洗浄液の濃度測定方法によれば、フッ酸と有機酸との双方を含む半導体ウェーハ洗浄液中のフッ酸濃度および有機酸濃度を測定することができる。また、本発明の半導体ウェーハの洗浄方法によれば、フッ酸と有機酸との混合液を用いて複数枚のウェーハに対して洗浄処理を行った場合におけるウェーハ表面等への微粒子や金属不純物の残留を安定して抑制することができる。
【図面の簡単な説明】
【００１９】
【図１】本発明に従う代表的な半導体ウェーハの洗浄方法を適用した半導体ウェーハ洗浄プロセスを示すフローチャートである。
【図２】図１に示す半導体ウェーハ洗浄プロセスで使用し得る半導体ウェーハ洗浄装置の一例の構成を示す説明図である。
【図３】複数枚の半導体ウェーハを連続洗浄した際の半導体ウェーハ洗浄液のフッ酸およびシュウ酸濃度の経時変化と、半導体ウェーハの表面の微粒子数の経時変化との関係を示すグラフであり、（ａ）は実施例の洗浄方法で半導体ウェーハを連続洗浄した場合のグラフを示し、（ｂ）は比較例の洗浄方法で半導体ウェーハを連続洗浄した場合のグラフを示す。
【図４】（ａ）は半導体ウェーハ洗浄液中の有機酸濃度のみを変化させた場合の赤外吸収スペクトルおよび紫外吸収スペクトルの吸光度の変化を示すグラフであり、(ｂ)は半導体ウェーハ洗浄液中のフッ酸濃度のみを変化させた場合の赤外吸収スペクトルおよび紫外吸収スペクトルの吸光度の変化を示すグラフである。
【発明を実施するための形態】
【００２０】
以下、図面を参照して本発明の実施の形態を説明する。ここで、本発明の半導体ウェーハ洗浄液の濃度測定方法および半導体ウェーハの洗浄方法は、フッ酸濃度および有機酸濃度が比較的低い（例えば、０．１質量％以下である）半導体ウェーハ洗浄液では、赤外領域の吸収スペクトルを用いてフッ酸濃度を測定し、紫外領域の吸収スペクトルを用いて有機酸濃度を測定することにより、半導体ウェーハ洗浄液中のフッ酸濃度および有機酸濃度の双方を別々かつ正確に測定することができるという本発明者の知見に基づきなされたものである。
【００２１】
より詳細に説明すると、本発明の半導体ウェーハ洗浄液の濃度測定方法および半導体ウェーハの洗浄方法は、以下に記載する本発明者の知見（１）〜（３）に基づきなされたものである。
（１）図４（ａ）に半導体ウェーハ洗浄液中のフッ酸濃度を一定（０．０５５質量％）にした状態で液中の有機酸（シュウ酸）濃度を変化させた場合の赤外吸収スペクトルおよび紫外吸収スペクトルの吸光度の変化を示すように、半導体ウェーハ洗浄液中の有機酸濃度が変化した場合、紫外吸収スペクトルの吸光度は有機酸濃度に比例して変化するが、赤外吸収スペクトルの吸光度は殆ど変化しない。
（２）図４（ｂ）に半導体ウェーハ洗浄液中の有機酸（シュウ酸）濃度を一定（０．０１質量％）にした状態で液中のフッ酸濃度を変化させた場合の赤外吸収スペクトルおよび紫外吸収スペクトルの吸光度の変化を示すように、半導体ウェーハ洗浄液中のフッ酸濃度が変化した場合、赤外吸収スペクトルの吸光度はフッ酸濃度に比例して変化するが、紫外吸収スペクトルの吸光度は殆ど変化しない。
（３）従って、フッ酸と有機酸との混合液からなる半導体ウェーハ洗浄液の紫外吸収スペクトルの測定結果に変化があれば、それは有機酸濃度が変化したことを意味するので、紫外吸収スペクトルを測定することで半導体ウェーハ洗浄液中の有機酸濃度を求めることができる。また、半導体ウェーハ洗浄液の赤外吸収スペクトルの測定結果に変化があれば、それは液中のフッ酸濃度が変化したことを意味するので、赤外吸収スペクトルを測定することで半導体ウェーハ洗浄液中のフッ酸濃度を求めることができる。
なお、液中の有機酸（シュウ酸）濃度を変化させた際に赤外吸収スペクトルの吸光度が殆ど変化しないのは、明らかではないが、半導体ウェーハ洗浄液中の有機酸濃度が比較的低濃度であるからと推察されている。
【００２２】
そして、本発明の半導体ウェーハ洗浄液の濃度測定方法は、フッ酸と有機酸とを含有する半導体ウェーハ洗浄液の濃度測定に用いることができる。また、本発明の半導体ウェーハの洗浄方法は、シリコンウェーハ等の半導体ウェーハの表面の洗浄に用いることができる。
【００２３】
＜半導体ウェーハ洗浄液の濃度測定方法＞
本発明の半導体ウェーハ洗浄液の濃度測定方法は、フッ酸と有機酸とを含有する半導体ウェーハ洗浄液中のフッ酸濃度および有機酸濃度の測定に用いられ、半導体ウェーハ洗浄液の赤外吸収スペクトルを測定し、該赤外吸収スペクトルからフッ酸の濃度を求めるフッ酸濃度測定工程と、半導体ウェーハ洗浄液の紫外吸収スペクトルを測定し、該紫外吸収スペクトルから有機酸の濃度を求める有機酸濃度測定工程とを含むことを特徴とする。
【００２４】
ここで、測定対象となる半導体ウェーハ洗浄液は、半導体ウェーハの洗浄に用いられるものである。そして、半導体ウェーハ洗浄液中のフッ酸濃度および有機酸濃度は、特に限定されることは無いが、フッ酸濃度は例えば０．１質量％以下の範囲内であり、有機酸濃度は例えば０．１質量％以下の範囲内である。
【００２５】
フッ酸濃度測定工程では、まず、既知の赤外吸収スペクトル測定装置を用いて半導体ウェーハ洗浄液の赤外吸収スペクトルを測定する。次に、得られた赤外吸収スペクトルの変化からフッ酸濃度を求める。具体的には、濃度既知の複数の標準溶液の赤外吸収スペクトルを測定し、フッ酸分子に対応する吸収ピークの変化量に基づいて検量線を作成し、作成した検量線を用いてフッ酸濃度を算出する。なお、赤外吸収スペクトルを測定する際に用いる赤外線の波長範囲は、例えば１〜３μｍとすることができる。
【００２６】
なお、このフッ酸濃度測定工程におけるフッ酸濃度の測定は、以下のようにして、赤外吸収スペクトルを利用して液中の成分（フッ酸を含む）濃度を測定する近赤外液体成分濃度計を用いて実施しても良い。
（１）まず、半導体ウェーハ洗浄液に含まれる有機酸と同一の有機酸を添加した濃度既知の標準フッ酸溶液を近赤外液体成分濃度計で測定し、標準フッ酸溶液中のフッ酸濃度と、近赤外液体成分濃度計に表示されるフッ酸濃度との関係から検量線を作成する。
（２）次に、半導体ウェーハ洗浄液のフッ酸濃度を近赤外液体成分濃度計で測定する。
（３）最後に、近赤外液体成分濃度計に表示されたフッ酸濃度と、上記（１）で作成した検量線とを用いて、半導体ウェーハ洗浄液中のフッ酸濃度を算出する。
【００２７】
なお、標準フッ酸溶液を用いて検量線を作成する際に標準フッ酸溶液へ添加する有機酸の量は、測定対象の半導体ウェーハ洗浄液中の有機酸濃度に影響されることなく、例えば０．００１〜０．１質量％とすることができる。
【００２８】
有機酸濃度測定工程では、まず、既知の紫外吸収スペクトル測定装置を用いて半導体ウェーハ洗浄液の紫外吸収スペクトルを測定する。次に、得られた紫外吸収スペクトルの変化から有機酸濃度を求める。具体的には、濃度既知の複数の標準溶液の紫外吸収スペクトルを測定し、有機酸分子に対応する吸収ピークの変化量に基づいて検量線を作成し、作成した検量線を用いて有機酸濃度を算出する。なお、紫外吸収スペクトルを測定する際に用いる紫外線の波長範囲は、例えば２００〜４００ｎｍとすることができる。
【００２９】
ここで、この有機酸濃度測定工程で濃度を測定できる有機酸としては、特に限定されることなく、分子内にカルボキシル基を有する有機酸、例えばシュウ酸、クエン酸、コハク酸、エチレンジアミン四酢酸、酒石酸、サリチル酸、ギ酸、マレイン酸、酢酸、プロピオン酸、酪酸、吉草酸、カプロン酸、エナント酸、カプリル酸、安息香酸、アクリル酸、アジピン酸、マロン酸、リンゴ酸、グリコール酸、フタル酸、テレフタル酸およびフマル酸からなる群より選ばれた１種以上の有機酸またはその塩が挙げられる。
【００３０】
なお、この有機酸濃度測定工程では、紫外吸収スペクトルは、２５０〜３００ｎｍの波長範囲内で測定することが好ましい。紫外吸収スペクトルを測定する波長範囲を２５０ｎｍ以上３００ｎｍ以下とすれば、紫外吸収スペクトル測定時の半導体ウェーハ洗浄液に対する紫外線の照射に起因する有機酸の分解を抑制し、且つ、正確な有機酸濃度を測定することができるからである。因みに、２３０ｎｍ以下の波長範囲で紫外吸収スペクトルを測定すると、紫外線の照射に起因する有機酸の分解が起こりやすく、長波長側の波長範囲で紫外吸収スペクトルを測定すると、フッ酸との分離測定が困難になり易い。
【００３１】
また、紫外吸収スペクトルを測定する際に半導体ウェーハ洗浄液に照射する紫外線の強度（紫外線照射強度）は、１００ｍＷ・ｓ／ｃｍ２以下とすることが好ましい。紫外線照射強度を１００ｍＷ・ｓ／ｃｍ２以下とすれば、紫外吸収スペクトル測定時の半導体ウェーハ洗浄液に対する紫外線の照射に起因する有機酸の分解を抑制し、より正確な有機酸濃度を測定することができるからである。
【００３２】
なお、この有機酸濃度測定工程における有機酸濃度の測定は、以下のようにして、吸光度計で紫外吸光スペクトルを測定して実施しても良い。
（４）まず、フッ酸を添加した濃度既知の標準有機酸溶液の紫外吸光スペクトルを吸光度計で測定し、標準有機酸溶液中の有機酸濃度と、有機酸分子に対応する吸収ピークの吸光度との関係から検量線を作成する。
（５）次に、半導体ウェーハ洗浄液の紫外吸光スペクトルを吸光度計で測定する。
（６）最後に、（５）で測定した紫外吸光スペクトルの有機酸分子に対応する吸収ピークの吸光度と、上記（４）で作成した検量線とを用いて、半導体ウェーハ洗浄液中の有機酸濃度を算出する。
因みに、標準有機酸溶液を用いて検量線を作成する際に標準有機酸溶液へ添加するフッ酸の量は、測定対象の半導体ウェーハ洗浄液中のフッ酸濃度に影響されることなく、例えば０．００１〜０．１質量％とすることができる。
【００３３】
なお、フッ酸濃度測定工程と有機酸濃度測定工程の実施順序は特に限定されることはないが、有機酸濃度測定工程で紫外吸収スペクトルを測定する際に半導体ウェーハ洗浄液中の有機酸が分解し、フッ酸濃度測定工程で測定誤差が発生するのを抑制する観点からは、フッ酸濃度測定工程を先に実施することが好ましい。
【００３４】
そして、上述した半導体ウェーハ洗浄液の濃度測定方法によれば、フッ酸濃度測定工程において赤外吸収スペクトルからフッ酸濃度を測定し、有機酸濃度測定工程において紫外吸収スペクトルから有機酸濃度を測定しているので、フッ酸濃度と有機酸濃度との双方を別々に、且つ、正確に測定することができる。
【００３５】
＜半導体ウェーハの洗浄方法＞
本発明の半導体ウェーハの洗浄方法は、シリコンウェーハ等の半導体ウェーハの洗浄に用いられ、半導体ウェーハを浸漬して洗浄する半導体ウェーハ洗浄液のフッ酸濃度および有機酸濃度を上述した半導体ウェーハ洗浄液の濃度測定方法で測定し、所定の範囲内に制御することを特徴とする。
【００３６】
本発明の半導体ウェーハの洗浄方法の一例は、図１に示すような、ＳＣ−１溶液を用いて半導体ウェーハを酸化還元する酸化還元工程（Ｓ１）と、酸化還元した半導体ウェーハを酸化液で酸化する第１酸化工程（Ｓ２）と、酸化した半導体ウェーハを有機酸とフッ酸との混合液（半導体ウェーハ洗浄液）で還元する還元工程（Ｓ３）と、還元した半導体ウェーハをリンス液でリンスするリンス工程（Ｓ４）と、リンスした半導体ウェーハを酸化液で再び酸化する第２酸化工程（Ｓ５）とを含む半導体ウェーハ洗浄プロセスの還元工程（Ｓ３）等で用いることができる。
【００３７】
ここで、この一例の半導体ウェーハ洗浄プロセスの酸化還元工程（Ｓ１）、第１酸化工程（Ｓ２）、リンス工程（Ｓ４）および第２酸化工程（Ｓ５）は、例えば特許文献１（特開２０００−１３８１９８号公報）に記載の技術を用いて実施する。
【００３８】
具体的には、酸化還元工程（Ｓ１）では、過酸化水素と水酸化アンモニウムとの混合液からなるＳＣ−１溶液を用いて半導体ウェーハの表面から微小ダメージ、微粒子および有機物を除去する。また、第１酸化工程（Ｓ２）では、オゾン水、硝酸、過酸化水素水等の酸化液を用いて半導体ウェーハの表面に酸化膜を形成し、後段の還元工程（Ｓ３）において金属不純物および微粒子が半導体ウェーハの表面から離脱し易くなるようにする。更に、リンス工程（Ｓ４）では、有機酸と、任意にフッ酸とを含むリンス液を用いて、半導体ウェーハの表面に残留している、後に詳細に説明する還元工程（Ｓ３）では除去しきれなかった金属不純物および微粒子を除去する。そして、第２酸化工程（Ｓ５）では、オゾン水、硝酸、過酸化水素水等の酸化液を用いて、Ｃｕや残留有機物等を除去すると共に、半導体ウェーハの表面に酸化膜を再び形成してウェーハ表面を酸化膜で保護する。
【００３９】
また、この一例の半導体ウェーハ洗浄プロセスの還元工程（Ｓ３）では、フッ酸と有機酸との混合液からなる半導体ウェーハ洗浄液中に第１酸化工程（Ｓ２）で酸化膜を形成した半導体ウェーハを浸漬することにより、フッ酸を用いて酸化膜を溶解し、酸化膜に取り込まれた金属不純物および微粒子を半導体ウェーハの表面から離脱させる。更に、還元工程（Ｓ３）では、有機酸と、半導体ウェーハの表面から離脱した金属不純物とが負電荷を帯びた金属錯イオンを形成し、且つ、有機酸が半導体ウェーハの表面に吸着して半導体ウェーハの表面に負電荷を帯びさせることにより、離脱した金属不純物および微粒子の半導体ウェーハ表面への再付着を防止する。なお、半導体ウェーハ洗浄液の有機酸としては、特に限定されることなく、分子内にカルボキシル基を有する有機酸、例えばシュウ酸、クエン酸、コハク酸、エチレンジアミン四酢酸、酒石酸、サリチル酸、ギ酸、マレイン酸、酢酸、プロピオン酸、酪酸、吉草酸、カプロン酸、エナント酸、カプリル酸、安息香酸、アクリル酸、アジピン酸、マロン酸、リンゴ酸、グリコール酸、フタル酸、テレフタル酸およびフマル酸からなる群より選ばれた１種以上の有機酸またはその塩を用いることができる。
【００４０】
ここで、この還元工程（Ｓ３）では、半導体ウェーハの洗浄に伴い、半導体ウェーハ洗浄液中のフッ酸濃度が低く（例えば０．０１質量％未満に）なると、酸化膜の溶解が十分に進まず、金属不純物および微粒子が十分に離脱しなくなる場合がある。また、フッ酸濃度が高く（例えば０．１質量％超に）なると、半導体ウェーハ洗浄液が強酸性になり、有機酸の解離が抑制されて金属不純物の錯化が十分に起こらなくなると共に、微粒子の表面電位がゼロに近くなって、金属不純物および微粒子の半導体ウェーハの表面への再付着が起こりやすくなる場合がある。更に、半導体ウェーハ洗浄液中の有機酸濃度が低く（例えば０．００５質量％未満に）なると、金属不純物の錯化が十分に起こらなくなって、金属不純物の半導体ウェーハの表面への再付着が起こりやすくなる場合がある。また、半導体ウェーハ洗浄液中の有機酸濃度が高く（例えば０．１質量％超に）なると、有機酸が半導体ウェーハ表面に付着したまま残留する場合がある。
【００４１】
そのため、この還元工程（Ｓ３）では、半導体ウェーハ洗浄液中に半導体ウェーハを浸漬し、該半導体ウェーハを還元して洗浄する際に（ウェーハ洗浄工程）、上述した本発明の半導体ウェーハ洗浄液の濃度測定方法を用いて半導体ウェーハ洗浄液のフッ酸濃度および有機酸濃度を測定し（フッ酸濃度測定工程および有機酸濃度測定工程からなる濃度測定工程（Ｓ３１））、測定したフッ酸濃度および有機酸濃度に基づき、半導体ウェーハ洗浄液のフッ酸濃度および有機酸濃度を制御する（濃度制御工程（Ｓ３２））。
【００４２】
具体的には、半導体ウェーハ洗浄液を断続的にサンプリングして半導体ウェーハ洗浄液の濃度を断続的に測定し、或いは、半導体ウェーハ洗浄液の濃度をオンラインで連続的に測定して、フッ酸濃度が０．０１質量％を下回った場合には半導体ウェーハ洗浄液に高濃度フッ酸溶液を添加し、有機酸濃度が０．００５質量％を下回った場合には半導体ウェーハ洗浄液に高濃度有機酸溶液を添加し、フッ酸濃度および有機酸濃度が０．１質量％を上回った場合には半導体ウェーハ洗浄液に純水を添加して、半導体ウェーハ洗浄液のフッ酸濃度および有機酸濃度を所定の範囲内に制御する。
【００４３】
そして、この一例の半導体ウェーハの洗浄プロセスでは、特に還元工程（Ｓ３）において、フッ酸および有機酸の双方の濃度を正確に測定し、フッ酸および有機酸の濃度を所定の範囲内に制御した条件下で半導体ウェーハを洗浄して、半導体ウェーハ表面等への微粒子や金属不純物の残留を安定して抑制することができる。なお、フッ酸濃度および有機酸濃度を更に正確に測定する観点からは、本発明の半導体ウェーハの洗浄方法では、赤外吸収スペクトルを１〜３μｍの波長範囲内で測定し、紫外吸収スペクトルを２００〜４００ｎｍの波長範囲内で測定することが好ましい。
【００４４】
＜半導体ウェーハの洗浄装置＞
ここで、本発明の半導体ウェーハの洗浄方法の一例の半導体ウェーハ洗浄プロセスの還元工程（Ｓ３）は、例えば以下のような半導体ウェーハ洗浄装置を用いて実施することができる。
【００４５】
図２に示すように、この一例のウェーハ洗浄装置１は、半導体ウェーハ洗浄液を貯留するウェーハ洗浄槽２０と、ウェーハ洗浄槽２０中の半導体ウェーハ洗浄液をサンプリングした後、該サンプリングした半導体ウェーハ洗浄液を、フィルター３２を通して再びウェーハ洗浄槽２０へと戻すサンプリングポンプ３１と、サンプリングポンプ３１でサンプリングした半導体ウェーハ洗浄液のフッ酸濃度を測定するフッ酸濃度測定手段としての赤外吸収スペクトル測定装置４０と、赤外吸収スペクトル測定装置４０でフッ酸濃度を測定した半導体ウェーハ洗浄液の有機酸濃度を測定する有機酸濃度測定手段としての紫外吸収スペクトル測定装置５０とを備えている。
【００４６】
また、このウェーハ洗浄装置１は、純水供給槽７１からウェーハ洗浄槽２０へ純水を供給する純水供給ポンプ７２と、フッ酸溶液供給槽８１からウェーハ洗浄槽２０へ高濃度フッ酸溶液を供給するフッ酸供給ポンプ８２と、有機酸溶液供給槽９１からウェーハ洗浄槽２０へ高濃度有機酸溶液を供給する有機酸供給ポンプ９２と、赤外吸収スペクトル測定装置４０で測定したフッ酸濃度および紫外吸収スペクトル測定装置５０で測定した有機酸濃度に基づき、ウェーハ洗浄槽２０内の半導体ウェーハ洗浄液のフッ酸および有機酸濃度が所定の範囲内になるように純水供給ポンプ７２、フッ酸供給ポンプ８２および有機酸供給ポンプ９２の動作を制御する制御装置（ＰＣ）６０とを備えている。
【００４７】
そして、ウェーハ洗浄装置１では、制御装置６０、純水供給ポンプ７２、フッ酸供給ポンプ８２および有機酸供給ポンプ９２が、半導体ウェーハ洗浄液のフッ酸濃度および有機酸濃度を所定の範囲内、例えばフッ酸濃度を０．０１〜０．１質量％の範囲内に制御し、有機酸濃度を０．００５〜０．１質量％の範囲内に制御する濃度制御手段として機能する。具体的には、ウェーハ洗浄装置１では、フッ酸濃度が０．０１質量％を下回った場合にはフッ酸供給ポンプ８２が高濃度フッ酸溶液をウェーハ洗浄槽２０に供給し、有機酸濃度が０．００５質量％を下回った場合には有機酸供給ポンプ９２が高濃度有機酸溶液をウェーハ洗浄槽２０に供給し、フッ酸濃度および有機酸濃度が０．１質量％を上回った場合には純水供給ポンプ７２が純水をウェーハ洗浄槽２０に供給して、半導体ウェーハ洗浄液のフッ酸濃度および有機酸濃度を所定の範囲内に制御する。なお、ウェーハ洗浄槽２０中の半導体ウェーハ洗浄液の量を一定に保つために、高濃度フッ酸溶液、高濃度有機酸溶液または純水が供給された場合には、ウェーハ洗浄槽２０中の半導体ウェーハ洗浄液の一部は排出される。
【００４８】
ここで、赤外吸収スペクトル測定装置４０は、例えば１〜３μｍの波長範囲内で赤外吸収スペクトルを測定し、得られた赤外吸収スペクトルからフッ酸濃度を求める装置である。
【００４９】
また、紫外吸収スペクトル測定装置５０は、例えば２００〜４００ｎｍの波長範囲内で紫外吸収スペクトルを測定し、得られた紫外吸収スペクトルから有機酸濃度を求める装置である。
【００５０】
そして、この一例の半導体ウェーハの洗浄装置では、フッ酸および有機酸の濃度の双方を正確に測定し、半導体ウェーハ洗浄液のフッ酸および有機酸の濃度を所定の範囲内に制御した条件下で半導体ウェーハを洗浄して、半導体ウェーハ表面等への微粒子や金属不純物の残留を安定して抑制することができる。
【００５１】
なお、本発明の半導体ウェーハ洗浄液の濃度測定方法および半導体ウェーハの洗浄方法は、上記一例に限定されることはなく、本発明の半導体ウェーハ洗浄液の濃度測定方法および半導体ウェーハの洗浄方法には、適宜変更を加えることができる。
【実施例】
【００５２】
以下、実施例により本発明を更に詳細に説明するが、本発明は下記の実施例に何ら限定されるものではない。
【００５３】
（実施例１〜２、参考例１）
フッ酸を０．０６質量％含有する標準シュウ酸溶液と、紫外吸収スペクトル測定装置（測定波長範囲：２００〜４００ｎｍ）とを用いてシュウ酸濃度測定用の検量線を作成した。また、シュウ酸を０．０５質量％含有する標準フッ酸溶液と、赤外吸収スペクトル測定装置（測定波長範囲：１〜３μｍ）とを用いてフッ酸濃度測定用の検量線を作成した。
そして、表１に示す濃度既知の半導体ウェーハ洗浄液のフッ酸濃度および有機酸濃度を本発明の濃度測定方法に従い測定した。結果を表１に示す。
【００５４】
【表１】
0005541087.tif 000002
【００５５】
表１の実施例１〜２より、本発明の半導体ウェーハ洗浄液の濃度測定方法によれば、フッ酸と有機酸との双方を含む半導体ウェーハ洗浄液中のフッ酸濃度および有機酸濃度を正確に測定し得ることが分かる。
【００５６】
（実施例３）
図２に示す装置を用いて、半導体ウェーハ２５０枚を連続して洗浄した。なお、半導体ウェーハ洗浄液の濃度は、フッ酸が０．０５０〜０．０５５質量％、シュウ酸が０．００８〜０．０１０質量％となるように制御した。
そして、洗浄後の半導体ウェーハ表面のサイズ５０ｎｍ以上の微粒子数を表面検査装置(ＫＬＡ−Ｔｅｎｃｏｒ社製：ＳＰ−２）で測定した。また、半導体ウェーハ表面のＡｌ量を、ウェーハ表層部をフッ酸と過酸化水素との混合酸溶液で溶解し、その溶解液をＩＣＰ−ＭＳ（Inductively Coupled Plasma-Mass Spectrometer）で分析することにより求めた。半導体ウェーハ洗浄液のフッ酸およびシュウ酸濃度の経時変化および洗浄後の半導体ウェーハ表面の微粒子数の経時変化を図３（ａ）に示す。また、微粒子数および半導体ウェーハ表面のＡｌ量の平均値を表２に示す。
【００５７】
（比較例１）
半導体ウェーハ洗浄液を用いて半導体ウェーハ２５０枚を連続して洗浄した。なお、半導体ウェーハ洗浄液の濃度は制御しなかった。
そして、洗浄後の半導体ウェーハ表面の微粒子数を実施例３と同様の方法で測定した。半導体ウェーハ洗浄液のフッ酸およびシュウ酸濃度の経時変化および洗浄後の半導体ウェーハ表面の微粒子数の経時変化を図３（ｂ）に示す。
【００５８】
図３（ａ）より、実施例３では、フッ酸と有機酸との混合液を用いた洗浄を行った後のウェーハ表面等への微粒子の残留を安定して抑制し得ることが分かる。一方、図３（ｂ）より、比較例１では、フッ酸濃度の低下に伴いウェーハ表面等への微粒子の残留が増加していることが分かる。
【００５９】
（実施例４〜８）
半導体ウェーハ洗浄液のフッ酸濃度およびシュウ酸濃度が表２に示す濃度となるように制御した以外は、実施例３と同様にして半導体ウェーハ２５０枚を連続して洗浄した。
そして、洗浄後の半導体ウェーハ表面の微粒子数および半導体ウェーハ表面のＡｌ量を実施例３と同様の方法で測定し、微粒子数および半導体ウェーハ表面のＡｌ量の平均値を求めた。結果を表２に示す。
【００６０】
【表２】
0005541087.tif 000003
【００６１】
表２より、半導体ウェーハ洗浄液のフッ酸濃度を０．０５０〜０．０５５質量％、シュウ酸濃度を０．００８〜０．０１質量％とした実施例３では、ウェーハ表面への微粒子や金属不純物の残留を特に良好に抑制できることが分かる。
【産業上の利用可能性】
【００６２】
本発明の半導体ウェーハ洗浄液の濃度測定方法によれば、フッ酸と有機酸との双方を含む半導体ウェーハ洗浄液中のフッ酸濃度および有機酸濃度を測定することができる。また、本発明の半導体ウェーハの洗浄方法によれば、フッ酸と有機酸との混合液を用いて洗浄処理を行った場合におけるウェーハ表面等への微粒子や金属不純物の残留を抑制することができる。
【符号の説明】
【００６３】
１  ウェーハ洗浄装置
２０  ウェーハ洗浄槽
３１  サンプリングポンプ
３２  フィルター
４０  赤外吸収スペクトル測定装置
５０  紫外吸収スペクトル測定装置
６０  制御装置
７１  純水供給槽
７２  純水供給ポンプ
８１  フッ酸溶液供給槽
８２  フッ酸供給ポンプ
９１  有機酸溶液供給槽
９２  有機酸供給ポンプ
【図１】
0005541087.tif 000004
【図２】
0005541087.tif 000005
【図３】
0005541087.tif 000006
【図４】
0005541087.tif 000007